(57)【特許請求の範囲】
【請求項１】
支柱の高所位置で支柱から分岐した支持体に標識板と標識板裏面に沿って修理や取り替え作業用歩廊が取り付けられており、該標識板裏面に位置する支持体から標識板表面に突出させた横棹の尖端に照明灯が取り付けられた歩廊位置から横棹を可動させて、照明灯を歩廊に近接させることを特徴とする可動式標識板用照明灯。
【請求項２】
照明灯の横棹腕部が上方向に屈曲し、照明灯部が上反転することによって歩廊に近接させることを特徴とする請求項１の可動式標識板用照明灯
【発明の詳細な説明】
【０００１】
【発明の属する技術分野】
本発明は標識板に向けて設置された照明灯の維持管理において、交通規制することなく修理や取り替え作業が容易に出来るようにする為の可動式標識板用照明灯を提供するものである。
【０００２】
【従来の技術】
道路に設置された大型案内標識板の夜間視認性を高める目的で設置された照明灯は、使用中に寿命がきて点灯しなくなったり、また風雨などの影響で破損或いは故障などによって取り替えることが必要となってくる。標識板用照明灯は、該標識板全面を凡そ均一に照射するに十分な距離を離して設置されている関係上、該標識板の前面に大きく突き出る構造となっている。従って、標識板からは手の届かない車道上の空中に位置する為に、修理や取り替え作業をする間は交通規制して車を遮断した上で、バケット車などを利用して部材の交換や修理をしている。その為に準備作業を含め、長時間交通規制をしながら道路上にて危険な高所作業をせねばならず、交通渋滞の原因ともなっている。また、交通量の激しい路線では交通量の少ない夜間等に限定して作業せねばならない状況にある。
【０００３】
【発明が解決しようとする課題】
標識板用照明灯は、標識板の全面を照射する必要性から標識板の面積が大きくなるに従い標識板から離れて設置されることになり、照明灯を支える横棹は長く伸ばして支持体に固定されている。この為に、照明灯の修理や取り替え作業には標識板の支持体に設けられた歩廊位置からでは手が届かず作業が出来ない。従って、作業中は車の通行を遮断して車道上からバケット車などに乗って高所作業をする必要性が生じてくる。係る事態によって交通渋滞が発生し、円滑な車の通行に支障を来すのみならず、不安定な位置で危険作業を余儀なくされてしまう。
【０００４】
本考案は前記した問題点を解決せんとするもので、標識板の支持体から伸びた横棹の尖端に取り付けた照明灯を、手の届く歩廊まで可動させることが出来る標識板用照明灯を提供せんとするものである。
【０００５】
【課題を解決するための手段】
標識板は道路の車道側に突き出たオーバーハング型支柱もしくは道路を跨ぐ門型支持体の車道上高所位置に取り付けられており、支柱及び支持体には標識板や照明灯などの修理や取り替え作業を目的とした足場と歩廊が設けられている。しかしながら標識板用照明灯は、前記の如く標識板を照射させる為に支持体から横棹を標識板前面に伸ばして固定されているために、歩廊からは手の届かない空中位置にある。
【０００６】
本発明は係る空中位置にある照明灯を歩廊から操作して手元近くまで可動させる構造にあり、それによって車道を規制することなく歩廊場所にて安全で確実な作業が出来る工夫がなされている。例えば照明灯を支える横棹の支持体付け根を水平回転摺動させ且つ固定できる機構を提供することによって、照明灯を手元まで近接させることが出来る。或いは、支持体から伸びる横棹の中央付近が関節状に上方屈曲する構造がなされており、横棹を屈曲させてその尖端にある照明灯を手元まで垂直回動、近接させるよう具備されたものである。
【０００７】
【発明の実施の形態】
次に本発明の一実施例に沿い図面を参照しながら、本発明を具体的に説明する。図１はオーバーハング型標識板の立面図であり、図２は支持体が道路を跨ぐ門型標識板である。図３は図１の平面図、図４はその側面図を表している。図１．３．４に於いて道路側縁に立設された支柱１から支持体２が分岐され、その支持体２に標識板３が固定されており、標識板３の裏面に立設した取付支柱７１から横棹５を標識板３の前面に突出させ、その尖端に照明灯４が取り付けられている。また、標識板３の裏面に支持体２に沿って修理や取り替え作業をする為の歩廊６が設けられている。
また、図４の横棹５が回動する部分７の詳細が図６で、横棹５の照明灯取り付け端末の他端付近に横棹回転軸７２が設けられ、垂直に設置された取付支柱７１の尖端にベアリング７３を介して横棹回転軸７２が挿着されている。また、横棹５の回転止めとして取付支柱７１と横棹回転軸７２との貫通穴７４が設けられボルトにて螺着されるようになされている。また別法としての図５は横棹の凡そ中央から上部に屈曲する部位８を示し、その詳細は図７において横棹５のヒンジ８１と、２分する横棹５を一体化させるための止め部８２が設けられている。
【０００８】
まず照明灯４の修理や取り替え作業に際して高所位置にある歩廊６に上がり、照明灯４を手元に引き寄せる手段として、まず例１として図３．４．５に於いて、照明灯４の横棹５が垂直に立設された取付支柱７１の天端に挿着された回動自在のベアリング７３に横棹回転軸７２が挿着されていて、横棹５が水平回動出来るようになされており、横棹５の尖端に取り付けた照明灯４を歩廊６まで引き寄せられるよう配慮されている。従って、取付支柱７１は支柱１や標識板３を乗り越えて照明灯４を引き寄せる必要性から、これらが障害とならない高さで尚かつ１８０度以上の回転角が得られるように考慮されている。また取付支柱７１と横棹回転軸７２とを貫通する穴７４にボルトが螺着されて横棹５の回転止めがなされている。
【０００９】
例２は図５．７に於いて、垂直に立設された取付支柱７１に直角固定された横棹５の一部と、照明灯４を取り付けた横棹５の一部とが、長手方向ほぼ中間部分８１で上部に屈曲できる関節状ヒンジ構造にて結合されており、照明灯４から伸びた横棹５の他端８２が取付支柱７１から伸びた横棹５を覆う形で係合出来るようになされていて、この箇所でボルトにて貫通螺着されている。
該ボルトの螺着箇所は、歩廊６から手が届く位置にあり、歩廊６にてボルトを着脱させることが出来る。また、照明灯４を手元まで引き寄せる手段として、例えば照明灯４に予めワイヤーロープが歩廊６から伸ばして結束されていて、このワイヤーを引き寄せることによって横棹５のヒンジ部分８１が屈曲して照明灯４を手元まで近接させるようなされている。照明灯４が大型で重量がある場合には、ワイヤーロープを滑車に介在させてウインチにて巻き上げるよう配慮されてよい。特に、横棹５が１本で照明灯４を支持させると風雨や諸車通行の振動などで安定した照明機能が得られない場合に、複数本の横棹で設置されることになり、照明灯を垂直に可動させて歩廊６まで移設される構造がなされてよい。
【００１０】
このようにして支柱１の足場から歩廊６に上がった場所から安全な作業状態で手の届かない位置にある照明灯を手元まで可動して近接させ、修理や取り替え作業を行うことが出来る。従って、その間は車道を交通規制することなく作業を遂行することが出来るので交通停滞を来すことなくまた、バケット車を運び込む必要もない。
【００１１】
【発明の効果】
以上詳述したように本発明による可動式標識板用照明灯によれば、標識板の支持体に設置された修理や取り替え作業用歩廊の位置から、照明灯を支持している横棹を可動させて照明灯を手元に近接させることによって、安定した姿勢で且つ安全に照明灯の修理や取り替え作業などに専念することができる。よって、車道上での交通規制を必要としない。それ故に、交通量の激しい路線に於いては、交通渋滞させないために夜間作業などの交通閑散時間帯に限定して作業されていたが、本発明は時間帯を選ばず適宜日中でも作業出来る。更に交通を遮断、規制してバケット車上で修理や取り替え作業することもなくなるので、安全性や経費面でもメリットが出てくる。このように照明灯がいつ何時故障して点灯しなくなっても速やかに対応することができる。
【図面の簡単な説明】
【図１】本発明のオーバーハング型可動式標識板用照明灯の一実施形態を示す正面図である。
【図２】道路を跨ぐ大型標識板の正面図である。
【図３】図１の可動式標識板用照明灯の水平回動状態を示す平面図である。
【図４】図１の可動式標識板用照明灯の側面図である。
【図５】可動式標識板用照明灯の横棹が垂直方向に屈曲する一実施形態を示す側面図である。
【図６】図４の横棹が回動する構造を示す平面図及び正面図である。
【図７】図５の屈曲箇所を示す一実施形態の斜視図である。
【符号の説明】
１    支柱
２    支持体
３    標識板
４    照明灯
５    照明灯支持部材の横棹
６    歩廊
７    横棹を水平可動させる回転部
７１  横棹支持支柱
７２  横棹回転軸
７３  ベアリング
７４  横棹の回動を固定する貫通穴
８    横棹が垂直に屈折する関節部
８１  関節構造
８２  横棹の固定構造
【図１】
0003712888.tif 000002
【図２】
0003712888.tif 000003
【図３】
0003712888.tif 000004
【図４】
0003712888.tif 000005
【図５】
0003712888.tif 000006
【図６】
0003712888.tif 000007
【図７】
0003712888.tif 000008